【手続補正書】
【提出日】平成22年5月14日(2010.5.14)
【手続補正１】
【補正対象書類名】特許請求の範囲
【補正対象項目名】全文
【補正方法】変更
【補正の内容】
【特許請求の範囲】
【請求項１】
画像が形成されたシートを含む製本物を作成する画像形成手段と、
前記画像形成手段により作成される製本物に光を照射することによりその反射光に生じる干渉模様を読み取る第１の読取手段と、
前記第１の読取手段により読み取られた干渉模様に基づいて生成される前記製本物を識別するための個別情報を、前記製本物に形成された画像の基となったオリジナル画像データと関連付けて記憶する記憶手段と、
前記画像形成手段により作成された製本物に光を照射することによりその反射光に生じる干渉模様を読み取る第２の読取手段と、
前記第２の読取手段により読み取られた干渉模様に基づいて前記記憶手段を参照し、前記第２の読取手段により読み取られた干渉模様に対応するオリジナル画像データを読み出させる制御手段と、
を有することを特徴とする画像形成システム。
【請求項２】
前記第１の読取手段は、前記製本物の表紙又は裏表紙からの反射光により生じる干渉模様を読み取ることを特徴とする請求項１記載の画像形成システム。
【請求項３】
前記制御手段は、前記記憶手段から読み出された前記オリジナル画像データに基づいて前記画像形成手段により新たに製本物を作成させることを特徴とする請求項１記載の画像形成システム。
【請求項４】
前記第１の読取手段は、前記新たに作成された製本物からも干渉模様を読み取り、前記記憶手段は、前記新たに作成された製本物から読み取られた干渉模様に基づいて生成される個別情報を、前記オリジナル画像データと関連付けて記憶することを特徴とする請求項３記載の画像形成システム。
【手続補正２】
【補正対象書類名】明細書
【補正対象項目名】０００６
【補正方法】変更
【補正の内容】
【０００６】
上記目的を達成するために、本発明の画像形成システムは、画像が形成されたシートを含む製本物を作成する画像形成手段と、前記画像形成手段により作成される製本物に光を照射することによりその反射光に生じる干渉模様を読み取る第１の読取手段と、前記第１の読取手段により読み取られた干渉模様に基づいて生成される前記製本物を識別するための個別情報を、前記製本物に形成された画像の基となったオリジナル画像データと関連付けて記憶する記憶手段と、前記画像形成手段により作成された製本物に光を照射することによりその反射光に生じる干渉模様を読み取る第２の読取手段と、前記第２の読取手段により読み取られた干渉模様に基づいて前記記憶手段を参照し、前記第２の読取手段により読み取られた干渉模様に対応するオリジナル画像データを読み出させる制御手段と、
を有することを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
本発明によれば、セキュリティを維持しつつ、製本完成品のオリジナルの確実な出力を実現することができる。
【手続補正５】
【補正対象書類名】明細書
【補正対象項目名】００１２
【補正方法】変更
【補正の内容】
【００１２】
また、画像形成システム１００は、画像読取装置１０１に配置されたシートＳの固有情報読取手段としてのシート固有情報読取手段（紙紋検知ユニット）１０６を備える。また、製本装置１０４内に配置されたシート固有情報読取手段（紙紋検知ユニット）１０７を備える。また、製本装置１０４に合紙を挿入するためのインサート装置１０８、本画像形成システム１００の操作表示部１０９を備える。また、製本装置１０４はシート整合部１１６を有する。
【手続補正６】
【補正対象書類名】明細書
【補正対象項目名】００１４
【補正方法】変更
【補正の内容】
【００１４】
シート固有情報読取手段１０７は、製本装置１０４のシート整合部１１６に配置され、画像形成装置１０３で画像が形成されないシートが製本完成品の表紙となる場合でも、製本されるシートの表紙又は裏表紙の紙紋を確実に検知できるようになっている。ここで、画像形成装置１０３で画像が形成されないシートが製本完成品の表紙となる場合とは、インサート装置１０８から搬送されるシートが製本完成品の表紙になる場合である。つまりこの表紙になるシートは、画像形成装置１０３の内部を通過しない。
【手続補正７】
【補正対象書類名】明細書
【補正対象項目名】００２０
【補正方法】変更
【補正の内容】
【００２０】
システムコントローラ４００は、シート固有情報読取手段１０６を内蔵した画像読取装置１０１、給紙装置１０２、画像形成装置１０３、シート固有情報読取手段１０７を内蔵した製本装置１０４に接続される。
【手続補正８】
【補正対象書類名】明細書
【補正対象項目名】００４０
【補正方法】変更
【補正の内容】
【００４０】
図６は、図１における画像読取装置に搭載されるシート固有情報読取手段の構成図である。
【手続補正９】
【補正対象書類名】明細書
【補正対象項目名】００５２
【補正方法】変更
【補正の内容】
【００５２】
図８は、図１における製本装置に搭載されるシート固有情報読取手段の構成図である。
【手続補正１０】
【補正対象書類名】明細書
【補正対象項目名】００５３
【補正方法】変更
【補正の内容】
【００５３】
図８において、シート固有情報読取手段１０７は、製本装置１０４のシート整合部１１６の下方に配置される。
【手続補正１１】
【補正対象書類名】明細書
【補正対象項目名】００８７
【補正方法】変更
【補正の内容】
【００８７】
【図１】本発明の実施の形態に係る画像形成システムの構成図である。
【図２】図１における操作表示部の構成図である。
【図３】オンライン接続された図１の画像形成システムの制御ブロック図である。
【図４】図３の画像形成システムによって実行される紙紋認証処理の第１の手順を示すフローチャートである。
【図５】図３の画像形成システムによって実行される紙紋認証処理の第２の手順を示すフローチャートである。
【図６】図１における画像読取装置に搭載されるシート固有情報読取手段の構成図である。
【図７】図６のシート固有情報読取手段の制御ブロック図である。
【図８】図１における製本装置に搭載されるシート固有情報読取手段の構成図である。
【図９】図６又は図８のシート固有情報読取手段によって読み込まれた干渉態様の画像の一例を示す図である。
【図１０】図６又は図８のシート固有情報読取手段によって読み込まれた干渉態様の画像を画像データに付加するために必要な分散化処理の一例を示す図である。
【図１１】図１０の分散化方法を用いて、図９で示した干渉態様を分散化した一例を示す図である。
【図１２】図１１の分散化方法で分散化する場合における画像アドレスの振り分け方の説明図である（その１）。
【図１３】図１１の分散化方法で分散化する場合における画像アドレスの振り分け方の説明図である（その２）。
【手続補正１２】
【補正対象書類名】明細書
【補正対象項目名】００８８
【補正方法】変更
【補正の内容】
【００８８】
１００  画像形成システム
１０１  画像読取装置
１０２  給紙装置
１０３  画像形成装置
１０４  製本装置
１０５  仕分け収納装置
１０６  シート固有情報読取手段
１０７  シート固有情報読取手段
１０８  インサート装置
１０９  操作表示部
４００  システムコントローラ
４０１  通信部
４０２  ＣＰＵ（制御手段）
４０３  メモリ部
４０４  画像処理部